(57)【要約】      （修正有）【課題】内容物を傷つけずに開封することができる包装袋を提供する。【解決手段】積層フィルムの周縁を熱接着部１１により熱接着して内部に形成される収納部１０内に内容物４０を収納する包装袋１において、積層フィルムの外縁から収納部１０側に突出する非熱接着の非熱接着部１２と、積層フィルムの外縁に設けられて非熱接着部１２内に上下に並設される一対のノッチ１３ａ、１３ｂとを有し、積層フィルムがノッチ１３ａ、１３ｂを始端にして収納部１０を横断する開封方向に易引裂性を有する。【選択図】図１
2019038546.tif 000002
【特許請求の範囲】
【請求項１】
積層体の周縁を熱接着部により熱接着して内部に形成される収納部内に内容物を収納する包装袋において、
前記積層体の外縁から前記収納部側に突出する非熱接着の非熱接着部と、前記積層体の外縁に設けられて前記非熱接着部内に上下に並設される一対のノッチとを有し、前記積層体が前記ノッチを始端にして前記収納部を横断する開封方向に易引裂性を有することを特徴とする包装袋。
【請求項２】
前記積層体は延伸フィルムを含み、前記延伸フィルムの延伸方向と前記開封方向とが一致することを特徴とする請求項１に記載の包装袋。
【請求項３】
前記積層体に前記ノッチを始端にして前記開封方向に延びる非貫通の切込みが形成されることを特徴とする請求項１に記載の包装袋。
【請求項４】
前記積層体は樹脂フィルムを含み、前記樹脂フィルムに前記切込みが形成されることを特徴とする請求項３に記載の包装袋。
【請求項５】
前記積層体は紙基材層を含み、前記紙基材層に前記切込みが形成されることを特徴とする請求項３に記載の包装袋。
【請求項６】
前記切込みがミシン目状に形成されることを特徴とする請求項４又は請求項５に記載の包装袋。
【請求項７】
前記非熱接着部の前記収納部側に隣接する前記熱接着部がイージーピール性を有することを特徴とする請求項１〜請求項６のいずれかに記載の包装袋。
【請求項８】
イージーピール性を有する前記熱接着部は前記積層体の内層に配された熱接着樹脂の印刷層から成ることを特徴とする請求項１〜請求項７のいずれかに記載の包装袋。
【発明の詳細な説明】
【技術分野】
【０００１】
本発明は包装袋に関する。
【背景技術】
【０００２】
従来の包装袋は特許文献１に開示される。この包装袋は積層体の対向する端縁を熱接着により合掌貼りして筒状体を形成し、筒状体の上下の開口部を熱接着して形成される。また、熱接着された包装袋上部の一側端が下方に突出してノッチが設けられている。
【０００３】
ノッチを起点にして包装袋上部を左右方向に引き裂く。これにより、包装袋の前面部と背面部とが同時に引き裂かれて包装袋上部に開封口が形成され、開封口から内容物を取出すことができる。
【先行技術文献】
【特許文献】
【０００４】
【特許文献１】特開平８−３３７２５１号公報
【発明の概要】
【発明が解決しようとする課題】
【０００５】
上記従来の包装袋によると、内容物の上端がノッチよりも上方に配された状態で開封すると、引き裂かれる包装袋上部が内容物に当たって内容物を傷つける問題があった。
【０００６】
本発明は上記問題点に鑑み、内容物を傷つけずに開封できる包装袋を提供することを目的とする。
【課題を解決するための手段】
【０００７】
上記目的を達成するために本発明は、積層体の周縁を熱接着部により熱接着して内部に形成される収納部内に内容物を収納する包装袋において、前記積層体の外縁から前記収納部側に突出する非熱接着の非熱接着部と、前記積層体の外縁に設けられて前記非熱接着部内に上下に並設される一対のノッチとを有し、前記積層体が前記ノッチを始端にして前記収納部を横断する開封方向に易引裂性を有することを特徴としている。
【０００８】
また本発明は、上記構成の包装袋において、前記積層体は延伸フィルムを含み、前記延伸フィルムの延伸方向と前記開封方向とが一致するのが好ましい。
【０００９】
また本発明は、上記構成の包装袋において、前記積層体に前記ノッチを始端にして前記開封方向に延びる非貫通の切込みが形成されるのが好ましい。
【００１０】
また本発明は、上記構成の包装袋において、前記積層体は樹脂フィルムを含み、前記樹脂フィルムに前記切込みが形成されるのが好ましい。
【００１１】
また本発明は、上記構成の包装袋において、前記積層体は紙基材層を含み、前記紙基材層に前記切込みが形成されるのが好ましい。
【００１２】
また本発明は、上記構成の包装袋において、前記切込みがミシン目状に形成されるのが好ましい。
【００１３】
また本発明は、上記構成の包装袋において、前記非熱接着部の前記収納部側に隣接する前記熱接着部がイージーピール性を有するのが好ましい。
【００１４】
また本発明は、上記構成の包装袋において、イージーピール性を有する前記熱接着部は前記積層体の内層に配された熱接着樹脂の印刷層から成るのが好ましい。
【発明の効果】
【００１５】
本発明によると、積層体の外縁から収納部側に突出する非熱接着部内に一対のノッチを上下に並設し、積層体がノッチを始端にして収納部を横断する開封方向に易引裂性を有する。これにより、非熱接着部上の積層体外縁を摘持して開封方向に引っ張るとノッチを起点にして積層体が易引裂性を有する開封方向に沿って容易に引き裂かれる。これにより、包装袋の一面に帯状の開封口が形成される。従って、内容物が傷つくことを防止しながら包装袋を開封することができる。また、包装袋の上部を後方に折り曲げることにより開封口を前後方向に大きく広げることができ、内容物を容易に取り出すことができる。
【図面の簡単な説明】
【００１６】
【図１】本発明の第１実施形態に係る包装袋の平面図
【図２】本発明の第１実施形態に係る包装袋を構成する積層フィルムの層構成を示す断面図
【図３】本発明の第１実施形態に係る包装袋の開封手順を説明する図
【図４】本発明の第１実施形態に係る包装袋の開封手順を説明する図
【図５】本発明の第２実施形態に係る包装袋を構成する積層フィルムの層構成を示す断面図
【図６】本発明の第３実施形態に係る包装袋を構成する積層フィルムの層構成を示す断面図
【発明を実施するための形態】
【００１７】
＜第１実施形態＞
以下に図面を参照して本発明の第１実施形態を説明する。図１は第１実施形態の包装袋１の正面図である。
【００１８】
包装袋１は焼き菓子等の内容物を収納する袋である。包装袋１は四角形状に予め断裁された後述の積層フィルム（積層体）３０を二枚用意して周縁を熱接着部１１により熱接着して内容物４０を密封する収納部１０を形成する。
【００１９】
包装袋１は互いに対向する前面部２１及び背面部２２を有する。また、包装袋１の上端部には挿通孔１６が設けられ、包装袋１は店舗等で陳列棒を挿通孔１６に挿通して吊り下げて陳列することができる。
【００２０】
包装袋１の周縁の一部には非熱接着の非熱接着部１２が設けられ、非熱接着部１２は包装袋１の外縁から収納部１０側に突出して形成されている。また、非熱接着部１２内には包装袋１の外縁に一対のノッチ１３ａ、１３ｂが上下に並設されている。
【００２１】
積層フィルム３０は開封方向（Ｘ１−Ｘ２方向）に易引裂性を有する。なお、ノッチ１３ａ、１３ｂを始端にして開封方向（Ｘ１−Ｘ２方向）に延びる一点鎖線は開封予定線１５であり、開封予定線１５に沿って直線状のマーク（不図示）を積層フィルム３０に印刷してもよい。使用者はこの直線状のマークを目印にして包装袋１の開封方向を認識することができる。
【００２２】
図２は包装袋１を構成する積層フィルム３０の層構成を示す断面図である。積層フィルム３０は、紙基材層３１、中間層３２、熱接着性樹脂層３３が順に積層されている。中間層３２は樹脂フィルム層３２ａとバリア層３２ｂとにより構成され、樹脂フィルム層３２ａの内層側の一面にガスバリア性を有するバリア層３２ｂが配されている。樹脂フィルム層３２ａと紙基材層３１とは層間接着層３４を介して接着されている。
【００２３】
また、熱接着性樹脂層３３は熱接着部１１が形成される領域にのみ配されており、前面部２１と背面部２２の熱接着性樹脂層３３を対向させて熱接着する。
【００２４】
これにより、収納部１０内の内容物４０はバリア層３２ｂと接する。バリア層３２ｂは後述するように金属箔、金属又は無機酸化物の蒸着膜により形成されており、熱接着性樹脂層３３と比較して内容物４０中の香り成分等を吸着し難い。このため、収納部１０に密封された内容物４０の劣化、味覚低下等を防止することができる。
【００２５】
紙基材層３１は任意の紙を使用することができ、例えば、ロール紙、クラフト紙、加工紙等の各種の紙を使用することができる。また、紙基材層３１は、これらの紙を複数層重ねてラミネートしたものであってもよい。
【００２６】
印刷層３１ａは紙基材層３１の外面にグラビア印刷またはオフセット印刷によってインキ材を所定位置に印刷塗布して形成される。印刷層３１ａにより、例えば、文字、図形、記号等の所望の絵柄を紙基材３１の外面に任意に形成することができる。
【００２７】
層間接着層３４は紙基材層３１と中間層３２とを接着する接着剤が用いられる。
【００２８】
樹脂フィルム層３２ａは一軸延伸フィルムが用いられ、フィルムの流れ方向（ＭＤ方向）に易引裂性及び優れた直線引裂性を有する。このため、一軸延伸フィルムのＭＤ方向を開封方向（Ｘ１−Ｘ２方向、図１参照）に一致させて包装袋１を製袋することにより、包装袋１が開封方向（Ｘ１−Ｘ２方向）に易引裂性を有する。
【００２９】
一軸延伸フィルムとして具体的には、一軸延伸ナイロン、一軸延伸非晶性ポリエステル（Ａ−ＰＥＴ）、一軸延伸ポリエチレンテレフタレート、一軸延伸ポリエチレンナフタレート等の公知の樹脂を任意に選択することができる。また、これらの樹脂から選ばれた１種ないし２種以上を使用して樹脂フィルム層３２ａを形成してもよい。
【００３０】
また、樹脂フィルム層３２ａを二軸延伸フィルムにより形成してもよい。この時、ＭＤ方向（流れ方向）とＴＤ方向（巾方向）との延伸倍率が異なる二軸延伸フィルムを用いることにより、樹脂フィルム層３２ａが一方向に易引裂き性を有する。
【００３１】
二軸延伸フィルムとして具体的には、二軸延伸ポリアミドフィルム、二軸延伸ポリエステルフィルムが好ましく、二軸延伸ナイロンフィルム、二軸延伸ポリエチレンテレフタレートフィルムを用いることがより望ましい。
【００３２】
バリア層３２ｂは外部から収納部１０の内部に水蒸気や酸素が浸入することを防止して収納部１０に収納される内容物４０の劣化を防止することができる。バリア層３２ｂとしては、例えば、アルミニウム、ニッケルなどの金属箔、アルミニウム等の金属の蒸着膜、酸化アルミニウム、酸化珪素等の無機酸化物の蒸着膜により形成される。
【００３３】
バリア層３２ｂを金属箔で構成する場合、樹脂フィルム層３２ａを構成するフィルムにドライラミネーション法や押出しラミネーション法で金属箔を積層する。また、バリア層３２ｂを蒸着膜で構成する場合、樹脂フィルム層３２ａを構成するフィルムに金属又は無機酸化物を蒸着して蒸着膜を積層する。
【００３４】
熱接着性樹脂層３３は熱によって溶融して対向する熱接着性樹脂層３３と融着して熱接着し得る樹脂で構成される。例えば、低密度ポリエチレン、中密度ポリエチレン、高密度ポリエチレン、エチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー等のポリオレフィン系樹脂が挙げられる。
【００３５】
また、これらのポリオレフィン系樹脂をアクリル酸、メタクリル酸、無水マレイン酸、フマール酸等の不飽和カルボン酸で変性した酸変性ポリオレフィン系樹脂を使用することができる。また、これらの樹脂から選ばれた１種ないし２種以上を使用して熱接着性樹脂層３３を形成してもよい。
【００３６】
また、熱接着性樹脂層３３はこれらの熱接着性樹脂をバリア層３２ｂに直接印刷して積層した印刷層である。熱接着性樹脂層３３を印刷して積層することにより熱接着性樹脂層３３の厚みが１μｍ以上２０μｍ以下で形成され、熱接着部１１がイージーピール性を有する。これにより、収納部１０側に隣接する熱接着部１４において熱接着した熱接着性樹脂層３３を容易に剥離することができる。
【００３７】
図３、図４は包装袋１の開封手順を説明する図である。使用者は非熱接着部１２上の前面部２１の外縁を親指と人差し指で摘持して開封方向（Ｘ１−Ｘ２方向）へ引っ張る。これにより、並設されたノッチ１３ａ、１３ｂを起点にして前面部２１が引き裂かれ、非熱接着部１２の収納部１０側に隣接する熱接着部１４が剥離する。
【００３８】
更に摘持した非熱接着部１２を開封方向（Ｘ１−Ｘ２方向）に引っ張ると前面部２１が開封方向（Ｘ１−Ｘ２方向）に沿って容易に引き裂かれる。これにより、包装袋１の前面部２１が引き裂かれて帯状の開封口１７ａが形成される。このとき、前面部２１に開封口１７ａが形成されるため、内容物４０が傷つくことを防止しながら包装袋１を開封することができる。
【００３９】
また、開封口１７ａが収納部１０を横断して熱接着部１１に到達すると前面部２１の開裂が引っ掛かる。このため、前面部２１が引き裂かれて形成された開封帯１７は包装袋１から切り離されず包装袋１と一体にゴミとして廃棄することができる。
【００４０】
また、図４に示すように包装袋１の上部を背面部２２側に折り曲げることにより開封口１７ａを前後方向に大きく広げることができ、内容物４０を容易に取り出すことができる。
【００４１】
本実施形態によると、積層フィルム（積層体）３０の外縁から収納部１０側に突出する非熱接着部１２内に一対のノッチ１３ａ、１３ｂを上下に並設している。また、積層フィルム３０がノッチ１３ａ、１３ｂを始端にして収納部１０を横断する開封方向（Ｘ１−Ｘ２方向）に易引裂性を有する。これにより、非熱接着部１２上の積層フィルム３０外縁を摘持して開封方向（Ｘ１−Ｘ２方向）に引っ張るとノッチ１３ａ、１３ｂを起点にして積層フィルム３０が引き裂かれる。これにより、包装袋１の前面部２１に帯状の開封口１７ａが形成される。従って、内容物４０が傷つくことを防止しながら包装袋１を開封することができる。また、包装袋１の上部を背面部２２側に折り曲げることにより開封口１７ａを前後方向に大きく広げることができ、内容物４０を容易に取り出すことができる。
【００４２】
また、積層フィルム３０は延伸フィルムを含み、延伸フィルムの延伸方向と包装袋１の開封方向（Ｘ１−Ｘ２方向）とが一致することにより、積層フィルム３０の易引裂方向が包装袋１の開封方向（Ｘ１−Ｘ２方向）と一致して包装袋１を開封方向（Ｘ１−Ｘ２方向）に沿って円滑に引き裂くことができる。
【００４３】
また、非熱接着部１２の収納部１０側に隣接する熱接着部１４がイージーピール性を有するため、開封を容易にして利便性を向上することができる。
【００４４】
また、熱接着部１４は積層フィルム３０の内層に配された熱接着樹脂の印刷層（熱接着性樹脂層３３）から成り、熱接着部１４のイージーピール性を容易に実現することができる。
【００４５】
なお、本実施形態において、紙基材層３１に替えて樹脂フィルム層３２ａを構成する延伸フィルムを積層フィルム３０の外層に用いても積層フィルム３０に易引裂性を付与することができる。この場合、中間層３２に配される樹脂フィルム層３２ａを省くことができる。
【００４６】
また、本実施形態において、水蒸気や酸素が浸入しても劣化し難い内容物４０を収納部１０に収納する場合、バリア層３２ｂを省いてもよい。
【００４７】
＜第２実施形態＞
次に、本発明の第２実施形態について説明する。図５は第２実施形態の包装袋１を構成する積層フィルム３０の断面図である。説明の便宜上、前述の図１〜図４に示す第１実施形態と同一の部分には同一の符号を付している。本実施形態では熱接着性樹脂層３３がイージーピール性を有する熱接着性樹脂フィルムにより構成され、バリア層３２ｂの一面全体に熱接着性樹脂層３３が配されている。その他の部分は第１実施形態と同様である。
【００４８】
熱接着性樹脂層３３はイージーピール性を有する樹脂フィルムをバリア層３２ｂの一面全体に積層して形成される。イージーピール性を有する樹脂フィルムは、凝集剥離タイプの樹脂フィルムであってもよく界面剥離タイプの樹脂フィルムであってもよい。凝集剥離タイプの樹脂として、ポリエチレン（ＰＥ）とポリプロピレン（ＰＰ）のブレンドを用いることができる。
【００４９】
熱接着性樹脂層３３がイージーピール性を有する熱接着性樹脂で構成されており、熱接着部１４を容易に剥離することができる。従って、本実施形態でも第１実施形態と同様の効果を得ることができる。
【００５０】
なお、バリア層３２ｂの一面全体に熱接着性樹脂層３３が配されており、収納部１０内の内容物４０は熱接着性樹脂層３３と接する。しかし、収納部１０に熱接着性樹脂層３３への吸着成分を含まない内容物４０を収納する場合、内容物４０を劣化させずに包装袋１内に密封することができる。
【００５１】
また、熱接着性樹脂層３３に一方向に易引裂性を有するフィルムを用いて積層フィルム３０に易引裂性を付与してもよい。例えば、ポリアクリルニトリル（ＰＡＮ）の一軸延伸フィルムを用いることができる。これにより、熱接着性樹脂層３３の易引裂性を包装袋１の開封方向（Ｘ１−Ｘ２方向）に利用することができる。
【００５２】
＜第３実施形態＞
次に、本発明の第３実施形態について説明する。図６は第３実施形態の包装袋１を構成する積層フィルム３０の断面図である。説明の便宜上、前述の図１〜図４に示す第１実施形態と同一の部分には同一の符号を付している。本実施形態では中間層３２が省かれ、紙基材層３１に切込み３５が設けられている。その他の部分は第２実施形態と同様である。
【００５３】
基材層３１には厚み方向に所定深さで切断した切込み３５が設けられる。切込み３５は開封予定線１５（図１参照）に沿って開封方向（Ｘ１−Ｘ２方向）に所定間隔で設けられミシン目状に形成されている。なお、切込み３５をミシン目状に形成する代わりに直線状のハーフカットを形成してもよい。
【００５４】
切込み３５はノッチ１３ａ、１３ｂ（図１参照）を起点にして開封方向（Ｘ１−Ｘ２方向）へ延びており、包装袋１の開封時、非熱接着部１２を開封方向（Ｘ１−Ｘ２方向）に引っ張ると前面部２１は開封方向（Ｘ１−Ｘ２方向）に沿って容易に引き裂かれる。従って、本実施形態でも第１実施形態と同様の効果を得ることができる。
【００５５】
なお、本実施形態において、紙基材層３１と熱接着性樹脂層３３との間にバリア層３２ｂを配してもよい。
【００５６】
また、第１〜第３実施形態では四方シールタイプの包装袋１について説明したが、三方シールタイプの包装袋についても同様の効果が得られる。
【００５７】
次に本発明の作用及び効果について、実施例及び比較例を用いて具体的に説明する。本実施例では、積層フィルム３０の層構成を変更して開封性についての評価を行った。
【００５８】
［包装袋のサンプル作製］
実施例１〜実施例３、比較例１〜比較例２に係る包装袋１は２枚の積層フィルム３０（縦２００ｍｍ、横９０ｍｍ）を重ねて周縁を１０ｍｍ幅でシールして形成した。また、非熱接着部１２は包装袋１の外縁から内側に３０ｍｍ突出し、ノッチ１３ａ、１３ｂは１５ｍｍ離して並設した。
【実施例１】
【００５９】
実施例１の包装袋１は積層フィルム３０として紙基材層３１にロール紙（厚さ約６４μｍ）、中間層３２にシリカを蒸着した一軸延伸ポリエチレンテレフタレートフィルム（厚さ約１２μｍ）、熱接着性樹脂層３３にポリプロピレン（厚さ約２０μｍ）を用いた。なお、一軸延伸ポリエチレンテレフタレートフィルムは樹脂フィルム層３２ａを構成する延伸フィルムであり、延伸フィルムの易引裂方向を開封方向（Ｘ１−Ｘ２方向）に一致させて包装袋１を製袋した。また、蒸着されたシリカによりバリア層３２ｂが構成されている。また、熱接着性樹脂層３３はポリプロピレンを中間層３２に外縁から１０ｍｍ幅で印刷して形成されている。
【実施例２】
【００６０】
実施例２の包装袋１は積層フィルム３０として樹脂フィルム層３２ａに一軸延伸ポリエチレンテレフタレートフィルム（厚さ約１２μｍ）、バリア層３２ｂにアルミニウム箔（厚さ約７ｍｍ）を用いた。その他の構成は、実施例１の積層フィルム３０の構成と同様である。
【実施例３】
【００６１】
実施例３の包装袋１は積層フィルム３０として熱接着性樹脂層３３に凝集剥離タイプの樹脂として、ポリエチレン（ＰＥ）とポリプロピレン（ＰＰ）とのブレンド樹脂（厚さ約３０μｍ）を用いた。熱接着性樹脂層３３は中間層３２の全面に配されている。その他の構成は、実施例１の積層フィルム３０の構成と同様である。
【００６２】
［比較例１］
比較例１の包装袋は積層フィルムとして熱接着性樹脂層に無延伸ポリプロピレンフィルム（厚さ約３０μｍ）を用いた。その他の構成は、実施例１の積層フィルム３０の構成と同様である。
【００６３】
［比較例２］
比較例２の包装袋は積層フィルムとして熱接着性樹脂層に無延伸ポリプロピレンフィルム（厚さ約３０μｍ）を用いた。その他の構成は、実施例２の積層フィルム３０の構成と同様である。
【００６４】
［開封性の評価］
包装袋１の非熱接着部１２を把持して引き裂いた場合の開封性を、開封時の感触および開封部の目視により評価した。評価基準は、ノッチ１３ａ、１３ｂを起点にして開封方向（Ｘ１−Ｘ２方向）にほぼ真っ直ぐに破断された場合を○、破断線が大きく湾曲した場合を×とした。
【００６５】
【表１】
2019038546.tif 000003
【００６６】
表１から明らかなように、易引裂性を有する積層フィルム３０用い、積層フィルム３０の易引裂方向を開封方向（Ｘ１−Ｘ２方向）に一致させるとともに、熱接着部１４がイージーピール性を有する実施例１〜３の包装袋１では、いずれもノッチ１３ａ、１３ｂを始点にして開封方向（Ｘ１−Ｘ２方向）に包装袋１が円滑に破断された。
【００６７】
これに対し、ＭＤ方向に易引裂き性を有しない積層フィルムを用い、熱接着部１４がイージーピール性を有さない比較例１、２の包装袋では、破断線の湾曲や熱接着部における破断の停止が発生した。
【符号の説明】
【００６８】
１              包装袋
１０            収納部
１１、１４      熱接着部
１２            非熱接着部
１３ａ、１３ｂ  ノッチ
１５            開封予定線
１６            挿通孔
１７            開封帯
１７ａ          開封口
２１            前面部
２２            背面部
３０            積層フィルム
３１            紙基材層
３１ａ          印刷層
３２            中間層
３２ａ          樹脂フィルム層
３２ｂ          バリア層
３３            熱接着性樹脂層
３４            層間接着層
４０            内容物
Ｘ１、Ｘ２      開封方向
【図１】
2019038546.tif 000004
【図２】
2019038546.tif 000005
【図３】
2019038546.tif 000006
【図４】
2019038546.tif 000007
【図５】
2019038546.tif 000008
【図６】
2019038546.tif 000009